(57)【特許請求の範囲】
【請求項１】
フッ化水素２０〜４０ｗｔ％、リン酸水素二アンモニウム２０〜７０ｗｔ％及び水１０〜４０ｗｔ％の混合液からなることを特徴とする石英ガラス表面のフロスト処理液。
【請求項２】
請求項１記載のフロスト処理液に石英ガラスを１５〜６０分間浸漬した後、取り出して水洗いすることを特徴とすることを特徴とする石英ガラス表面のフロスト処理方法。
【発明の詳細な説明】
【０００１】
【発明の属する技術分野】
本発明は、石英ガラスの表面、特に、半導体製造用石英ガラスの表面を液体により腐食（エッチング）し、細かな凹凸を形成してフロスト（つや消し）処理する石英ガラス表面のフロスト処理液、その使用方法及び該処理液で処理された石英ガラスに関する。
【０００２】
【従来の技術】
従来、半導体製造用石英ガラス、例えば、ＬＰ−ＣＶＤ（Low Pressure Chemical Vapor Deposition）プロセスに用いる石英ガラス炉芯管の内表面をフロスト処理する石英ガラス表面のフロスト処理液及びその使用方法としては、特開平７−２６７６７９号公報記載の石英ガラス表面処理液及びその使用方法が知られている。
この石英ガラス表面処理液は、フッ化水素（ＨＦ）、フッ化アンモニウム（ＮＨ4 Ｆ）、酢酸（ＣＨ3 ＣＯＯＨ）及び水（Ｈ2 Ｏ）の混合液からなるものであり、その組成割合は、酢酸１０wt％以上、水５０wt％以下、フッ化水素とフッ化アンモニウムの合計が２５wt％以上、及びフッ化アンモニウム１モルに対してフッ化水素０．２〜１モルの比率であり、かつ、フッ化水素７０部に対して水が３０部以上である範囲から選ばれるものである。
そして、上記石英ガラス表面処理液を使用する石英ガラスの表面処理方法は、石英ガラスを上述した処理液に２時間程度浸漬し、石英ガラス表面を上記石英ガラス表面処理液で不均一に腐食させ、その表面を粗面化するというものである。
又、フロスト処理液で処理された石英ガラスとしては、特開２０００−１６９１６５号公報記載の石英ガラス治具が知られている。
この石英ガラス治具は、５０％のフッ化水素酸水溶液約２４wt％、フッ化アンモニウム約１７wt％、１００％酢酸水溶液約３５wt％、水約２４wt％を混合して得た溶液（特開平７−２６７６７９号公報記載の実施例番号２０の処理液に相当）に、石英ガラスチューブを浸漬し、ケイフッ化アンモンの微結晶を析出させて得られるものであって、その表面に中心線粗さ、Ｒａ０．５μｍ、凹凸の最大高さＲmax ２μｍの凹凸を有するものである。
【０００３】
【発明が解決しようとする課題】
しかし、従来の石英ガラス表面のフロスト処理液及びその使用方法では、石英ガラス表面のフロスト処理に２時間も要する不具合がある。
又、フロスト処理液で処理された石英ガラスは、その表面の凹凸がＬＰ−ＣＶＤで堆積したＰｏｌｙ−Ｓｉ膜の剥離防止に対して十分でない不具合があり、パーティクルの発生によってシリコンウェーハの汚染が生じる。
これに対処するため、特開２０００−１６９１６５号公報記載の石英ガラス治具は、前述したフロスト処理液で処理された石英ガラスチューブの表面にＰｏｌｙ−Ｓｉ膜を１０μｍの厚さに蒸着した後、フッ化水素酸と硝酸の混合溶液で洗浄する工程を４回繰り返し、表面の凹凸を中心線粗さＲａ２〜３０μｍ、最大高さＲmax １０〜１５０μｍ、幅１０〜５００μｍとしている。
このため、上記石英ガラス治具は、その製造に多大の時間を必要とし、かつ、表面の凹凸が、フロスト処理液のみによる石英ガラスのエッチングによるものではなく、表面に蒸着したＰｏｌｙ−Ｓｉ膜に対するフッ化水素酸と硝酸の混合溶液による数回の洗浄によって得られているので、Ｐｏｌｙ−Ｓｉ膜と石英ガラスとの熱膨張差により、Ｐｏｌｙ−Ｓｉ膜洗浄後表面にクラックが生じるおそれがある。
【０００４】
そこで、本発明は、石英ガラス表面を所要の凹凸をなすようにするフロスト処理をフロスト処理液のみで短時間で可能とし得る石英ガラス表面のフロスト処理液、その使用方法及び該処理液で処理された石英ガラスを提供することを目的とする。
【０００５】
【課題を解決するための手段】
前記課題を解決するため、本発明の石英ガラス表面のフロスト処理液は、フッ化水素、リン酸水素二アンモニウム及び水の混合液からなることを特徴とする。
前記混合液は、フッ化水素２０〜４０wt％、リン酸水素二アンモニウム２０〜７０wt％、及び水１０〜４０wt％であることが好ましい。
又、前記混合液は、５０％フッ化水素酸２０〜７０wt％、リン酸水素二アンモニウム２０〜７０wt％、及び水０〜４０wt％であってもよい。
なお、上記両混合液において、リン酸水素二アンモニウムは、２０〜６０wt％であることが好ましい。
【０００６】
一方、上記フロスト処理液を使用する石英ガラス表面のフロスト処理方法は、上述したフロスト処理液に石英ガラスを１５〜６０分間浸漬した後、取り出して水洗いすることを特徴とする。
【０００８】
【作用】
上記石英ガラス表面のフロスト処理液及びフロスト処理方法においては、石英ガラス表面の所要の凹凸が、石英ガラス表面から石英ガラスをエッチングのみで取り除くことによりマイクロクラックを生じることなく形成され、しかも、原則的に一度のエッチングで石英ガラス表面が所要の凹凸をなすものとなる。
このように、一度のエッチングのみで、所要の凹凸をなす石英ガラス表面が得られるのは、フッ化水素酸、リン酸水素二アンモニウム（（ＮＨ4 ）2 ＨＰＯ4 ）及び石英ガラスの三物質の化学反応により石英ガラス表面上にヘキサフルオロケイ酸アンモニウム（（ＮＨ4 ）2 ＳｉＦ6 ）の微結晶が多数析出し、それらの微結晶間のみの石英ガラス表面でフッ化水素酸による選択的な腐食が急速に進行するからである。
なお、フッ化水素酸による腐食が急速に進行するのは、リン酸水素二アンモニウムの緩衝作用によると考えられる。
【０００９】
他方、上記石英ガラスにおいては、表面の凹凸が、熱線あるいは光線の効果的な散乱、毛管現象の発生等に寄与する。
又、上記プラズマエッチング装置用石英ガラスにおいては、表面の凹凸が、マイクロクラック皆無のものとなり、かつ、堆積する膜のアンカーとして機能する。
凹凸の形状は、凸面平均長１〜３０μｍ、凸面平均高さ０．１〜１０μｍであることが好ましい。
【００１０】
フッ化水素は、水に溶解してフッ化水素酸となり、石英ガラスの腐食に寄与する。
フッ化水素の含有量が、２０wt％未満であると、腐食作用が乏しくなり、ヘキサフルオロケイ酸アンモニウム微結晶の析出が緩慢となる。一方、４０wt％を超えると、リン酸水素二アンモニウムからのアンモニウムイオンの供給が追い付かず、適切な面が得られない。
フッ化水素は、その水溶液であるフッ化水素酸（フッ酸）の形で用いてもよく、フッ化水素酸の濃度が低い場合には、水を添加しなくてもよい場合がある。
【００１１】
リン酸水素二アンモニウムは、前述したように、フッ化水素酸及び石英ガラスと化学反応して析出するヘキサフルオロケイ酸アンモニウムの微結晶の組成の一部となる。
リン酸水素二アンモニウムの含有量が、２０wt％未満であると、ヘキサフルオロケイ酸アンモニウムの析出反応が鈍くなり、適切な面粗さのフロスト面が得られない。一方、７０wt％を超えると、リン酸水素二アンモニウムがフッ化水素酸に完全に溶解しないという不具合を生じる。
【００１２】
水は、フッ化水素と石英ガラスとリン酸水素二アンモニウムの反応生成物である、ヘキサフルオロケイ酸アンモニウムの生成間隔を制御する。
水の含有量が、４０wt％を超えると、ヘキサフルオロケイ酸アンモニウムの生成が生じない。
【００１３】
フロスト処理液に対する石英ガラスの浸漬は、フロスト処理液の温度によっても異なるが、３５〜６５℃の温度で１０〜９０分間とすることが、エッチングが効果的に行われ好ましい。
【００１４】
【発明の実施の形態】
以下、本発明の実施の形態について具体的な実施例及び比較例を参照して説明する。
〔実施例１〜５〕
フッ化水素（５０％濃度のフッ化水素酸溶液として）、リン酸水素二アンモニウム（関東化学社製）及び水（純水）を表１に示す組成割合で混合し、石英ガラス表面のフロスト処理液をそれぞれ得た。
得られた各フロスト処理液を４０〜５０℃の温度に保持し、それらに半導体製造用透明石英ガラス（東芝セラミックス（株）社製  Ｔ−１０３０）をそれぞれ１５分間若しくは３０分間浸漬した後、取り出して純水で水洗いし、それぞれの石英ガラスの表面の面粗さを測定したところ、表１に示すようになった。
【００１５】
【表１】
0003824299.tif 000002
【００１６】
表１から分るように、フッ化水素２０〜４０wt％、リン酸水素二アンモニウム２０〜７０wt％、及び水１０〜４０wt％の混合液からなるフロスト処理液を用い、透明な石英ガラスを１５〜６０分間フロスト処理することにより、石英ガラス表面が、中心線粗さＲａ０．１〜１０μｍ、最大高さＲmax １〜３０μｍ、平均表面粗さ間隔ＲＳｍ２０〜１０００μｍの面粗さのフロスト面となる。
【００１７】
ここで、実施例１〜５のフロスト処理液を用いてフロスト処理した石英ガラス製フォーカスリング、一般的に行われているサンドブラスト処理した石英ガラス製フォーカスリングを、それぞれ枚葉式ＲＩＥ（反応性イオンエッチング）装置に装着し、この装置にシリコンウェーハを挿入してプラズマ照射を行ったところ、２回目の処理時に６インチシリコンウェーハに付着する塵埃（パーティクル）の数は、本発明に係るフォーカスリングを使用した場合、７，５４７個／ウェーハであったのに対し、サンドブラスト処理による一般的なフォーカスリングを使用した場合、５８，８２３個／ウェーハであった。
なお、測定には、ウェーハ表面検査装置を使用した。
又、実施例１〜５のフロスト処理液を用いてフロスト処理したＬＰ−ＣＶＤプロスセ用石英ガラス治具の表面に膜を形成し、これをプラズマに曝したところ、膜の剥離がなかった。
したがって、実施例１〜５のフロスト処理液によってフロスト処理を施したものは、プラズマエッチング装置用、ＬＰ−ＣＶＤプロセス用石英ガラス治具として適している。
【００１８】
〔実施例６〕
５０％濃度のフッ化水素酸５４．１wt％及びリン酸水素二アンモニウム４５．９wt％を混合し、石英ガラス表面のフロスト処理液を得た。
得られたフロスト処理液を５０℃の温度に保持し、それに実施例１〜５と同様の半導体製造用透明石英ガラスを３０分間浸漬した後、取り出して純水で水洗いしたところ、中心線粗さＲａ２．７μｍ、最大高さＲmax １８μｍの面粗さ、平均表面粗さ間隔ＲＳｍ１００μｍのフロスト面となった。
【００１９】
本発明に係る石英ガラスでは、表面に形成された微細な凹凸の凹と凹又は凸と凸の平均ピッチは、２０μｍ以下が好ましく、特に好ましくは１０μｍ未満であり、非常に細かく凹凸が形成されているものがプラズマ処理装置用等に用いるのに特によい。
又、本発明に係る石英ガラス表面の凹凸は、エッチング処理後においても、多くの凸部の頂上には、処理前の石英ガラスの平面部の形状が残されており、球状又は楕円形とはならない。
【００２０】
〔比較例〕
５０％濃度のフッ化水素酸２４wt％、フッ化アンモニウム１７wt％、１００％濃度の酢酸３５wt％、及び水２４wt％を混合し、石英ガラス表面のフロスト処理液を得た。
得られたフロスト処理液を室温に保持し、それに実施例１〜６と同様の半導体製造用透明石英ガラスを２時間浸漬した後、取り出して純水で水洗いしたところ、中心線粗さＲａ０．８μｍ、最大高さＲmax ３．０μｍの面粗さのフロスト面となった。
【００２１】
なお、本発明は、上述した実施例に限定されるものではない。
例えば、エッチングは、常温で行ってもよいし、加温して行ってもよく、あるいは反応熱を保温して、実質的な加温状態を維持するようにしてもよい。
【００２２】
【発明の効果】
以上説明したように、本発明の石英ガラス表面のフロスト処理液及びそれを使用する石英ガラス表面のフロスト処理方法によれば、フッ化水素、リン酸水素二アンモニウム及び石英ガラスの三物質の化学反応により石英ガラス表面上にヘキサフルオロケイ酸アンモニウムの微結晶が多数析出し、それらの微結晶間のみの石英ガラス表面でフッ化水素酸による選択的な腐食が急速に進行し、石英ガラス表面の所要の凹凸が、石英ガラス表面から石英ガラスをエッチングのみで取り除くことによりマイクロクラックが生じることなく形成され、しかも、原則的に一度のエッチングで石英ガラスの表面が所要の凹凸をなすものとなるので、従来のようにフッ化水素酸、フッ化アンモニウム、酢酸及び水の混合処理液で処理した石英ガラスの表面にＰｏｌｙ−Ｓｉ膜を蒸着し、その後にフッ化水素酸と硝酸の混合溶液で洗浄して石英ガラスの表面を所要の凹凸をなすものとする必要がなく、石英ガラス表面のフロスト処理をフロスト処理液のみで格段に短時間で行うことができる。
【００２３】
一方、本発明の石英ガラスによれば、表面の凹凸が、熱線あるいは光線を効果的に散乱させるので、ヒーターからの熱を均一化して伝えるための部材として、あるいは光線の直接的な透過を防ぐ部材として利用できる。
又、表面の微細な凹凸を利用して、その上に剥離しにくいコーティング膜を形成したり面と面の接合にも利用できる。
更に、微細な凹凸により、毛管現象を生じさせ、液状の薬材管の成分を表面に均一に行きわたせることが可能である。例えば、アルミニウム含有液を塗布すれば、半導体製造用石英ガラスたとえば、るつぼを結晶化させることが可能となり、るつぼの製造が早く容易である上、ヒーター熱を分散（均一化）できるという効果も同時に得ることができる。
【００２４】
又、本発明のプラズマエッチング装置用石英ガラスによれば、表面の凹凸が、マイクロクラック皆無のものとなり、かつ、堆積する膜のアンカーとして機能する（このアンカー効果に優れる凹凸としては、Ｒａ２μｍ、Ｒmax ２０μｍ程度のものがよく、このようなものは、３０分程度で得られる。）ので、パーティクルの飛散を極めて少なくすることができ、かつ、ＬＰ−ＣＶＤに用いる他、成膜工程用の部材、炉壁に用いれば、膜の剥離がおこりにくく、歩留り向上に寄与できる。